(57)【要約】【課題】荷室の内部のスペースを大きく設定することができる車両の荷室内における照明装置の取付構造を提供する。【解決手段】荷室１の内部の天井側コーナー部１１に設けられたコーナーアングル１３と、前記コーナーアングル１３に嵌合された照明装置３５と、を備えている。従って、従来から配設されている既設のコーナーアングル１３に照明装置３５を取り付けることにより、前記荷室１の内部のスペースを大きく設定することができる。【選択図】図２
2018127168.tif 000002
【特許請求の範囲】
【請求項１】
荷室の内部の天井側コーナー部に設けられたコーナーアングルと、前記コーナーアングルに嵌合された照明装置と、を備えたことを特徴とする車両の荷室内における照明装置の取付構造。
【請求項２】
請求項１に記載の照明装置の取付構造であって、
前記天井側コーナー部は、荷室の天井を構成する天井壁と、前記天井壁の端部から下方に延在する側壁とが交差する交差部分であり、
前記コーナーアングルは、前記天井壁に沿って延在して天井壁に当接した状態で固定される上面と、前記側壁に沿って延在して側壁に当接した状態で固定される側面とを有することを特徴とする車両の荷室内における照明装置の取付構造。
【請求項３】
請求項１または２に記載の照明装置の取付構造であって、
前記コーナーアングルにおける上面と側面との角部に前記照明装置を配置したことを特徴とする車両の荷室内における照明装置の取付構造。
【発明の詳細な説明】
【技術分野】
【０００１】
本発明は、車両の荷室内における照明装置の取付構造に関する。
【背景技術】
【０００２】
従来から、トラック等の車両には、荷室内部を照らすコーナーライトを荷室の天井側コーナー部に設置したものがある（例えば、特許文献１参照）。
【０００３】
この特許文献１に記載された照明装置取付構造は、ＬＥＤ光源を設けた回路基板および回路基板を保持する基板支持体が荷室内部の天井側コーナー部に配設されているものである。
【先行技術文献】
【特許文献】
【０００４】
【特許文献１】実用新案登録第３１７２８８１号公報
【発明の概要】
【発明が解決しようとする課題】
【０００５】
しかしながら、前記特許文献１では、荷室の内部の天井側コーナー部に設けられた既存のコーナーアングルとは別に、回路基板および基板支持体を設けているため、荷室内部のスペースが縮小されるという問題があった。
【０００６】
そこで、本発明は、かかる従来の問題に鑑みて、荷室内部のスペースを大きく設定することができる車両の荷室内における照明装置の取付構造を提供するものである。
【課題を解決するための手段】
【０００７】
前記目的を達成するために本発明に係る車両の荷室内における照明装置の取付構造は、荷室の内部の天井側コーナー部に設けられたコーナーアングルと、前記コーナーアングルに嵌合された照明装置と、を備えたことを特徴とする。
【発明の効果】
【０００８】
本発明によれば、既設のコーナーアングルに照明装置を取り付けるため、照明装置を設置する新たな取付部材を必要としない。従って、荷室の内部のスペースを大きく設定することができる。
【図面の簡単な説明】
【０００９】
【図１】図１は、車両の荷室内における天井側コーナー部を示す斜視図である。
【図２】図２は、図１のＡ−Ａ線による断面図である。
【図３】図３は、図１の状態から保護カバーを取り外した斜視図である。
【図４】図４は、本実施形態に係るコーナーアングルと照明装置と保護カバーの分解斜視図である。
【図５】図５は、図４の照明装置の分解斜視図である。
【図６】図６は、図５の分解斜視図を別方向から見た図である。
【発明を実施するための形態】
【００１０】
以下、本発明の実施形態について図面を参照しつつ詳細に説明する。
【００１１】
図１，２に示すように、車両の荷室１は、天井側に設けられた天井壁３と、天井壁３の端部から下方に延在する側壁５とで囲まれて構成される。具体的には、天井壁３は水平状に延在し、側壁５は垂直方向に延びている。
【００１２】
図２に示すように、これらの天井壁３および側壁５のそれぞれの断面構造は、外周側に配設された外周壁面７と、外周壁面７の内方に収納配置された断熱材９と、から構成されている。天井側コーナー部１１は、荷室１の天井を構成する天井壁３と天井壁３の端部から下方に延在する側壁５とが交差する交差部分に形成される。
【００１３】
図３〜図６に示すように、コーナーアングル１３は、水平方向に延在する上面１５と、垂直方向に延在する側面１７と、これらの間に設けられた連結部１９と、から一体に形成される。つまり、上面１５は、天井壁３に沿って延在して天井壁３にリベット２１（図１参照）を介して固定される。側面１７は、側壁５に沿って延在して側壁５にリベット２１（図１参照）を介して固定される。コーナーアングル１３は、アルミニウム材の押し出し加工によって成形される。
【００１４】
コーナーアングル１３の上面１５の室外側には、図２にも示すように、天井壁３の外周壁面７に当接する当接部２３と、当接部２３の上端よりも凹んだ上面溝部２５とが形成されている。コーナーアングル１３の側面１７の室外側には、図２にも示すように、側壁５の外周壁面７に当接する当接部２６と、当接部２６の側端よりも凹んだ側面溝部２７とが形成されている。上面１５と側面１７との連結部１９は、斜め方向に延在する傾斜面によって連結されている。連結部１９の近傍において、コーナーアングル１３の上面１５の室内側には、下方（室内側）に突出する第１被係合部２９が形成され、コーナーアングル１３の側面１７の室内側には、側方（室内側）に突出する第２被係合部３１が形成されている。これらの第１被係合部２９および第２被係合部３１には、後述する係合キャップ４５における係止突起５３が嵌合する。また、図２に示すように、天井壁３、側壁５およびコーナーアングル１３の連結部１９によって、断面三角状の間隙３３が形成されている。このように、コーナーアングル１３における上面１５と側面１７との角部に照明装置３５を配置している。
【００１５】
照明装置３５は、長尺状に延びる基板ホルダー３７と、基板ホルダー３７の係合爪部３９に嵌合されるＬＥＤ基板４１と、ＬＥＤ基板４１の上に搭載されたＬＥＤ光源４３と、基板ホルダー３７の長手方向の両端に嵌合された一対の係合キャップ４５と、から構成される。
【００１６】
基板ホルダー３７は、基部３８と、基部３８の幅方向（長手方向に直交する方向）の両端に形成した係合爪部３９と、から一体に形成されている。基部３８の表面側には、保持凹部４０が形成されている。
【００１７】
係合キャップ４５は、本体部４７と、本体部４７における基板ホルダー３７側に突き出る挿入用舌片４９と、本体部４７における基板ホルダー３７から離間する方向に延在する一対の脚部５１と、脚部５１の先端に形成された係止突起５３と、から一体に形成される。
【００１８】
また、図３，４に示す保護カバー５５は、ＬＥＤ光源４３を保護すると共にＬＥＤ光源４３からの光を透過させる機能を有する。平板状の平面部５７と、平面部５７の幅方向両端から突出する一対の係止片５９と、から一体形成されている。
【００１９】
以下に、照明装置３５の組立手順および照明装置３５をコーナーアングル１３に組み付ける手順を説明する。
【００２０】
図６に示すように、まず、基板ホルダー３７の保持凹部４０にＬＥＤ基板４１を挿入し、係合爪部３９でＬＥＤ基板４１を保持する。次に、基板ホルダー３７の長手方向の両端に係合キャップ４５の挿入用舌片４９を挿入する。これにより、照明装置３５の組み立てが完了する。
【００２１】
そして、図４に示すように、照明装置３５における係合キャップ４５をコーナーアングル１３の第１被係合部２９および第２被係合部３１に嵌合させる。そして、最後に、保護カバー５５を押し込むと、係止片５９がコーナーアングル１３の第１被係合部２９および第２被係合部３１に嵌合される。以上により、照明装置３５および保護カバー５５をコーナーアングル１３に嵌合することができる。
【００２２】
以下に、本実施形態による作用効果を説明する。
【００２３】
（１）荷室１の内部の天井側コーナー部１１に設けられたコーナーアングル１３と、前記コーナーアングル１３に嵌合された照明装置３５と、を備えている。
【００２４】
コーナーアングル１３に照明装置３５を取り付けることができるため、照明装置３５を設置する新たな取付部材を必要としない。従って、荷室１の内部のスペースを大きく設定することができる。また、荷室１の内部の天井側コーナー部１１に照明装置３５を配設するため、デッドスペースの有効利用を図ることができる。さらに、部品点数が増大しないため、コスト低減を図ることができる。また、従来は、前述した実用新案登録第３１７２８８１号公報に示すように、取付ボルトをコーナーアングルおよび照明装置に貫通させて天井壁に突き刺すことにより、照明装置（ＬＥＤライト）を車体側に保持していた。しかし、本実施形態では、コーナーアングル１３に照明装置３５を嵌合しているため、雨漏り等の問題がない。
【００２５】
（２）天井側コーナー部１１は、荷室１の天井を構成する天井壁３と、天井壁３の端部から下方に延在する側壁５とが交差する交差部分である。コーナーアングル１３は、天井壁３に沿って延在して天井壁３に当接した状態で固定される上面１５と、側壁５に沿って延在して側壁５に当接した状態で固定される側面１７とを有する。
【００２６】
このように、コーナーアングル１３は、荷室１の天井壁３および側壁５に当接した状態で固定されるため、荷室１の天井側コーナー部１１を効果的に補強することができる。
【００２７】
以下、具体的に説明する。図２に示すように、コーナーアングル１３の上面１５のうち、リベット２１で締結される部分の板厚と、第１被係合部２９が設けられる部位の板厚とを比較すると、第１被係合部２９が設けられる部位の板厚の方が厚く形成されている。同様に、コーナーアングル１３の側面１７のうち、リベット２１で締結される部分の板厚と、第２被係合部３１が設けられる部位の板厚とを比較すると、第２被係合部３１が設けられる部位の板厚の方が厚く形成されている。そして、これらの第１被係合部２９および第２被係合部３１は、コーナーアングル１３の前記交差部分に近い位置に配置されている。
【００２８】
また、コーナーアングル１３においては、斜め方向に延在する傾斜面（連結部１９）によって上面１５と側面１７とを連結している。
【００２９】
以上より、本実施形態に係るコーナーアングル１３によって、天井側コーナー部１１を効果的に補強することができる。
【００３０】
（３）コーナーアングル１３における上面１５と側面１７との角部に照明装置３５を配置した。
【００３１】
従って、荷室１の内部の広い範囲を効率的に斜め上方から照らすことができる。
【符号の説明】
【００３２】
１  荷室
３  天井壁
５  側壁
１１  天井側コーナー部
１３  コーナーアングル
１５  上面
１７  側面
３５  照明装置
【図１】
2018127168.tif 000003
【図２】
2018127168.tif 000004
【図３】
2018127168.tif 000005
【図４】
2018127168.tif 000006
【図５】
2018127168.tif 000007
【図６】
2018127168.tif 000008